(57)【要約】【課題】消費電力を抑制しつつ、短時間でカバーレンズの外側表面上の雪を除去する。【解決手段】カバーレンズ１への着雪を抑制するように構成された車両用灯具において、カバーレンズ１の外側表面に滑雪用コーティング２を施すと共に、カバーレンズ１に超音波振動子３を接合した。好ましくは、カバーレンズ１の外縁部１ａから離れた位置であって、すれ違いビーム用光源４より高い位置に超音波振動子３を配置した。車両の運転席に配置された超音波振動子駆動スイッチが運転者によってＯＮされると、超音波振動子３が駆動され、それにより、超音波振動子３が発生した振動がカバーレンズ１に伝播する。その結果、カバーレンズ１が振動し、カバーレンズ１の外側表面上の雪が滑り落とされる。【選択図】図１
2008108500.tif 000002
【特許請求の範囲】
【請求項１】
カバーレンズへの着雪を抑制するように構成された車両用灯具において、前記カバーレンズの外側表面に滑雪用コーティングを施すと共に、前記カバーレンズに超音波振動子を接合したことを特徴とする車両用灯具。
【請求項２】
前記カバーレンズのうち、光源からの照射光の光路上から外れた位置に前記超音波振動子を配置したことを特徴とする請求項１に記載の車両用灯具。
【請求項３】
すれ違いビーム用光源と、走行ビーム用光源とを設け、前記走行ビーム用光源より前記すれ違いビーム用光源に近い位置であって、前記すれ違いビーム用光源より高い位置に前記超音波振動子を配置したことを特徴とする請求項２に記載の車両用灯具。
【請求項４】
前記カバーレンズの外縁部から離れた位置であって、前記光源より高い位置に前記超音波振動子を配置したことを特徴とする請求項１又は２に記載の車両用灯具。
【請求項５】
カバーレンズ側の接合面と超音波振動子側の接合面とを相補形状に形成したことを特徴とする請求項１〜４のいずれか一項に記載の車両用灯具。
【請求項６】
前記超音波振動子から前記カバーレンズへの振動伝播方向が前記カバーレンズの厚さ方向にほぼ一致するように前記超音波振動子を前記カバーレンズに接合したことを特徴とする請求項１〜５のいずれか一項に記載の車両用灯具。
【請求項７】
接着後に硬化する接着剤によって前記超音波振動子を前記カバーレンズに接合したことを特徴とする請求項１〜６のいずれか一項に記載の車両用灯具。
【請求項８】
前記カバーレンズの外側表面上の積雪を感知するための感知手段を設け、前記感知手段によって前記カバーレンズの外側表面上の積雪が感知された時に前記超音波振動子を駆動することを特徴とする請求項１〜７のいずれか一項に記載の車両用灯具。
【発明の詳細な説明】
【技術分野】
【０００１】
本発明は、カバーレンズへの着雪を抑制するように構成された車両用灯具に関し、特には、消費電力を抑制しつつ、短時間でカバーレンズの外側表面上の雪を除去することができる車両用灯具に関する。
【０００２】
詳細には、本発明は、無風時の車両の停車中であってもカバーレンズの外側表面上の雪を除去することができる車両用灯具に関する。
【背景技術】
【０００３】
従来から、カバーレンズへの着雪を抑制するように構成された車両用灯具が知られている。この種の車両用灯具の例としては、例えば特開２００６−３２１３８号公報、特開２００６−８６０６７号公報などに記載されたものがある。特開２００６−３２１３８号公報および特開２００６−８６０６７号公報に記載された車両用灯具では、ヒータ用金属線がカバーレンズに設けられ、ヒータ用金属線が発生した熱によってカバーレンズ上の雪が溶かされ、それにより、カバーレンズへの着雪が抑制されている。
【０００４】
詳細には、特開２００６−３２１３８号公報および特開２００６−８６０６７号公報に記載された車両用灯具では、ヒータ用金属線に対する通電が開始されると、ヒータ用金属線が発熱し、それに伴って、カバーレンズが昇温し、それにより、カバーレンズ上の雪が溶かされる。
【０００５】
ところで、ヒータ用金属線に対する通電が開始されてから、カバーレンズ上の雪が溶ける程度にカバーレンズが昇温するまでには、比較的長い時間を要する。そのため、特開２００６−３２１３８号公報および特開２００６−８６０６７号公報に記載された車両用灯具では、カバーレンズ上の雪を除去する必要が生じた時点から、カバーレンズ上の雪が実際に除去されるまでに、長い時間を要してしまう。
【０００６】
更に、特開２００６−３２１３８号公報および特開２００６−８６０６７号公報に記載された車両用灯具では、カバーレンズ上の雪が一度除去された後においても、ヒータ用金属線に対する通電が中止され、カバーレンズ上に雪が再び付着すると、その雪を除去するのに長い時間を要してしまう。そのため、特開２００６−３２１３８号公報および特開２００６−８６０６７号公報に記載された車両用灯具では、カバーレンズ上に雪が再び付着しないようにするために、ヒータ用金属線に通電し続ける必要があり、その結果、消費電力が増大してしまう。
【０００７】
また、特開２００６−３２１３８号公報および特開２００６−８６０６７号公報に記載された車両用灯具では、カバーレンズに付着した雪によって光源からの照射光が遮られないようにするために、つまり、光源からの照射光の光路上の雪を溶かすために、ヒータ用金属線が光源からの照射光の光路上に配置されている。そのため、特開２００６−３２１３８号公報および特開２００６−８６０６７号公報に記載された車両用灯具では、ヒータ用金属線によって、光源からの照射光が悪影響を受けてしまったり、車両用灯具の外観が損なわれたりするおそれがある。
【０００８】
また、従来から、カバーレンズの外側表面に撥水性コーティングが施された車両用灯具が知られている。この種の車両用灯具の例としては、例えば特開平６−３３０３６３号公報に記載されたものがある。特開平６−３３０３６３号公報に記載された車両用灯具のようにカバーレンズの外側表面に撥水性コーティングを施すことによっても、カバーレンズへの着雪を抑制することができる。
【０００９】
ところで、カバーレンズの外側表面に撥水性コーティングが施されている場合、車両の走行中や、車両の停車中であっても風が吹いている時には、撥水性コーティングによってカバーレンズへの着雪を抑制することができるものの、無風時の車両の停車中には、撥水性コーティングによってカバーレンズへの着雪を十分に抑制することができない。
【００１０】
【特許文献１】特開２００６−３２１３８号公報
【特許文献２】特開２００６−８６０６７号公報
【特許文献３】特開平６−３３０３６３号公報
【発明の開示】
【発明が解決しようとする課題】
【００１１】
前記問題点に鑑み、本発明は、消費電力を抑制しつつ、短時間でカバーレンズ上の雪を除去することができる車両用灯具を提供することを目的とする。
【００１２】
詳細には、本発明は、無風時の車両の停車中であってもカバーレンズ上の雪を除去することができる車両用灯具を提供することを目的とする。
【００１３】
更に、本発明は、光源からの照射光が遮られてしまうのを回避しつつ、カバーレンズ上の雪を除去することができる車両用灯具を提供することを目的とする。
【課題を解決するための手段】
【００１４】
請求項１に記載の発明によれば、カバーレンズへの着雪を抑制するように構成された車両用灯具において、前記カバーレンズの外側表面に滑雪用コーティングを施すと共に、前記カバーレンズに超音波振動子を接合したことを特徴とする車両用灯具が提供される。
【００１５】
請求項２に記載の発明によれば、前記カバーレンズのうち、光源からの照射光の光路上から外れた位置に前記超音波振動子を配置したことを特徴とする請求項１に記載の車両用灯具が提供される。
【００１６】
請求項３に記載の発明によれば、すれ違いビーム用光源と、走行ビーム用光源とを設け、前記走行ビーム用光源より前記すれ違いビーム用光源に近い位置であって、前記すれ違いビーム用光源より高い位置に前記超音波振動子を配置したことを特徴とする請求項２に記載の車両用灯具が提供される。
【００１７】
請求項４に記載の発明によれば、前記カバーレンズの外縁部から離れた位置であって、前記光源より高い位置に前記超音波振動子を配置したことを特徴とする請求項１又は２に記載の車両用灯具が提供される。
【００１８】
請求項５に記載の発明によれば、カバーレンズ側の接合面と超音波振動子側の接合面とを相補形状に形成したことを特徴とする請求項１〜４のいずれか一項に記載の車両用灯具が提供される。
【００１９】
請求項６に記載の発明によれば、前記超音波振動子から前記カバーレンズへの振動伝播方向が前記カバーレンズの厚さ方向にほぼ一致するように前記超音波振動子を前記カバーレンズに接合したことを特徴とする請求項１〜５のいずれか一項に記載の車両用灯具が提供される。
【００２０】
請求項７に記載の発明によれば、接着後に硬化する接着剤によって前記超音波振動子を前記カバーレンズに接合したことを特徴とする請求項１〜６のいずれか一項に記載の車両用灯具が提供される。
【００２１】
請求項８に記載の発明によれば、前記カバーレンズの外側表面上の積雪を感知するための感知手段を設け、前記感知手段によって前記カバーレンズの外側表面上の積雪が感知された時に前記超音波振動子を駆動することを特徴とする請求項１〜７のいずれか一項に記載の車両用灯具が提供される。
【発明の効果】
【００２２】
請求項１に記載の車両用灯具では、滑雪用コーティングがカバーレンズの外側表面に施され、超音波振動子がカバーレンズに接合されている。詳細には、請求項１に記載の車両用灯具では、超音波振動子が駆動され、振動がカバーレンズに加えられると、カバーレンズの外側表面上の雪が、滑り落とされる。
【００２３】
そのため、請求項１に記載の車両用灯具によれば、カバーレンズの外側表面上の雪がヒータ用金属線によって溶かされる場合よりも、消費電力を抑制しつつ、短時間でカバーレンズの外側表面上の雪を除去することができる。詳細には、請求項１に記載の車両用灯具によれば、無風時の車両の停車中であってもカバーレンズの外側表面上の雪を除去することができる。
【００２４】
請求項２及び３に記載の車両用灯具では、超音波振動子が、カバーレンズのうち、光源からの照射光の光路上から外れた位置に配置されている。詳細には、請求項２及び３に記載の車両用灯具では、すれ違いビーム用光源と、走行ビーム用光源とが設けられている。更に、超音波振動子が、走行ビーム用光源よりすれ違いビーム用光源に近い位置であって、すれ違いビーム用光源より高い位置に配置されている。つまり、請求項２及び３に記載の車両用灯具では、超音波振動子が、すれ違いビーム用光源からの照射光の光路上から外れた位置であって、走行ビーム用光源からの照射光の光路上から外れた位置に配置されている。
【００２５】
そのため、請求項２及び３に記載の車両用灯具によれば、光源からの照射光が超音波振動子によって遮られてしまうのを回避しつつ、カバーレンズの外側表面上の雪を除去することができる。
【００２６】
本発明者等の研究では、超音波振動子をカバーレンズの外縁部上に配置した場合よりも、超音波振動子をカバーレンズの外縁部から離れた位置に配置した場合の方が、超音波振動子によってカバーレンズの外側表面上の雪を効率良く滑り落とすことができる点が確認された。
【００２７】
更に、本発明者等の研究では、超音波振動子を光源より低い位置に配置した場合よりも、超音波振動子を光源より高い位置に配置した場合の方が、超音波振動子によってカバーレンズの外側表面上の雪を効率良く滑り落とすことができる点が確認された。
【００２８】
これらの点に鑑み、請求項４に記載の車両用灯具では、超音波振動子が、カバーレンズの外縁部から離れた位置であって、光源より高い位置に配置されている。そのため、請求項４に記載の車両用灯具によれば、超音波振動子がカバーレンズの外縁部上に配置されている場合や、超音波振動子が光源より低い位置に配置されている場合よりも、カバーレンズの外側表面上の雪を効率良く滑り落とすことができる。
【００２９】
請求項５に記載の車両用灯具では、カバーレンズ側の接合面と超音波振動子側の接合面とが相補形状に形成されている。換言すれば、請求項５に記載の車両用灯具では、超音波振動子がカバーレンズに対して隙間なく接合されている。そのため、請求項５に記載の車両用灯具によれば、超音波振動子が隙間を介してカバーレンズに接合されている場合よりも、超音波振動子が発生した振動をカバーレンズに効率良く伝播することができる。
【００３０】
本発明者等の研究では、超音波振動子からカバーレンズへの振動伝播方向がカバーレンズの厚さ方向に対して垂直になるように超音波振動子をカバーレンズに接合した場合よりも、超音波振動子からカバーレンズへの振動伝播方向がカバーレンズの厚さ方向にほぼ一致するように超音波振動子をカバーレンズに接合した場合の方が、超音波振動子によってカバーレンズの外側表面上の雪を効率良く滑り落とすことができる点が確認された。
【００３１】
この点に鑑み、請求項６に記載の車両用灯具では、超音波振動子からカバーレンズへの振動伝播方向がカバーレンズの厚さ方向にほぼ一致するように超音波振動子がカバーレンズに接合されている。そのため、請求項６に記載の車両用灯具によれば、超音波振動子からカバーレンズへの振動伝播方向がカバーレンズの厚さ方向に対して垂直になるように超音波振動子がカバーレンズに接合されている場合よりも、超音波振動子によってカバーレンズの外側表面上の雪を効率良く滑り落とすことができる。
【００３２】
請求項７に記載の車両用灯具では、接着後に硬化する接着剤によって超音波振動子がカバーレンズに接合されている。そのため、請求項７に記載の車両用灯具によれば、接着後も比較的軟らかい接着剤によって超音波振動子がカバーレンズに接合されている場合よりも、超音波振動子が発生した振動をカバーレンズに効率良く伝播することができる。
【００３３】
請求項８に記載の車両用灯具では、カバーレンズの外側表面上の積雪を感知するための感知手段が設けられている。更に、感知手段によってカバーレンズの外側表面上の積雪が感知された時に、超音波振動子が駆動される。そのため、請求項８に記載の車両用灯具によれば、カバーレンズの外側表面上の雪によって光源からの照射光が遮られていると車両の運転者が感じる前に、カバーレンズの外側表面上の雪を除去することができる。
【発明を実施するための最良の形態】
【００３４】
以下、本発明の車両用灯具の第１の実施形態について説明する。図１は第１の実施形態の車両用灯具の正面図、図２は図１のＸ−Ｘ断面図である。図１および図２において、１はカバーレンズを示しており、１ａはカバーレンズ１の外縁部を示しており、２はカバーレンズ１の外側表面に施された例えばフッ素系、シリコーン系などの滑雪用コーティングを示している。３はカバーレンズ１の内側表面に接合された超音波振動子を示しており、４はすれ違いビーム用光源を示しており、４’はすれ違いビーム用リフレクタを示している。５は走行ビーム用光源を示しており、５’は走行ビーム用リフレクタを示している。
【００３５】
第１の実施形態の車両用灯具では、図１および図２に示すように、カバーレンズ１への着雪を抑制するために、滑雪用コーティング２がカバーレンズ１の外側表面に施されている。更に、超音波振動子３がカバーレンズ１の内側表面に接合されている。
【００３６】
図３はすれ違いビーム用光源４からの照射光の光路を示した図である。第１の実施形態の車両用灯具では、図１に示すように、超音波振動子３が、走行ビーム用光源５よりすれ違いビーム用光源４に近い位置に配置されている。更に、図２および図３に示すように、超音波振動子３が、すれ違いビーム用光源４より高い位置に配置されている。詳細には、超音波振動子３が、すれ違いビーム用リフレクタ４’より高い位置に配置されている。換言すれば、図１および図３に示すように、超音波振動子３が、カバーレンズ１のうち、すれ違いビーム用光源４からの照射光の光路上から外れた位置であって、走行ビーム用光源５からの照射光の光路上から外れた位置に配置されている。
【００３７】
更に、第１の実施形態の車両用灯具では、図１および図２に示すように、超音波振動子３が、カバーレンズ１の外縁部１ａから少し離れた位置であって、すれ違いビーム用光源４より高い位置に配置されている。
【００３８】
図４はカバーレンズ１および超音波振動子３の拡大分解図である。第１の実施形態の車両用灯具では、図４に示すように、カバーレンズ側の接合面１ｂと、超音波振動子側の接合面３ａとが、相補形状に形成されている。詳細には、カバーレンズ側の接合面１ｂと、超音波振動子側の接合面３ａとが、共に平面状に形成されている。第２の実施形態の車両用灯具では、代わりに、カバーレンズ側の接合面１ｂを凹状に形成すると共に、超音波振動子側の接合面３ａをカバーレンズ側の接合面１ｂと相補形状の凸状に形成することも可能である。
【００３９】
更に、第１の実施形態の車両用灯具では、接着後に硬化する接着剤によって、超音波振動子３がカバーレンズ１に接合されている。つまり、第１の実施形態の車両用灯具では、カバーレンズ側の接合面１ｂと超音波振動子側の接合面３ａとの間に隙間が残されたり、軟らかい接着剤が配置されたりするのに伴って、超音波振動子３からカバーレンズ１へ伝播する振動が小さくなってしまうことが回避されている。
【００４０】
図５は超音波振動子３が発生した振動の伝播方向とカバーレンズ１の厚さ方向との関係を示した図である。第１の実施形態の車両用灯具では、図５に示すように、超音波振動子３からカバーレンズ１への振動伝播方向（図５中の矢印の方向）が、カバーレンズ１の厚さ方向にほぼ一致するように、超音波振動子３がカバーレンズ１に接合されている。
【００４１】
詳細には、第１の実施形態の車両用灯具では、車両の運転席に配置された超音波振動子駆動スイッチ（図示せず）が運転者によってＯＮされると、超音波振動子３が駆動され、それにより、超音波振動子３が発生した振動がカバーレンズ１に伝播する。その結果、カバーレンズ１が振動し、カバーレンズ１の外側表面上の雪が滑り落とされる。そのため、第１の実施形態の車両用灯具によれば、カバーレンズ１の外側表面上の雪がヒータ用金属線によって溶かされる場合よりも、短時間でカバーレンズ１の外側表面上の雪を除去することができる。詳細には、第１の実施形態の車両用灯具によれば、無風時の車両の停車中であってもカバーレンズ１の外側表面上の雪を除去することができる。
【００４２】
次いで、第１の実施形態の車両用灯具では、超音波振動子駆動スイッチがＯＮされてから所定時間が経過すると、超音波振動子３への駆動信号の供給が停止され、運転者によって超音波振動子駆動スイッチが再びＯＮされるまで、駆動信号が超音波振動子３に供給されない。そのため、第１の実施形態の車両用灯具によれば、カバーレンズ１の外側表面上の雪がヒータ用金属線によって溶かされる場合よりも、カバーレンズ１の外側表面上の雪を除去するのに必要な電力消費量を低減することができる。
【００４３】
更に、第１の実施形態の車両用灯具では、超音波振動子３が、図３に示すように、すれ違いビーム用光源４からの照射光の光路上から外れた位置であって、図１に示すように、走行ビーム用光源５からの照射光の光路上から外れた位置に配置されている。そのため、第１の実施形態の車両用灯具によれば、すれ違いビーム用光源４および走行ビーム用光源５からの照射光が超音波振動子３によって遮られてしまうのを回避しつつ、カバーレンズ１の外側表面上の雪を除去することができる。
【００４４】
第１の実施形態の車両用灯具では、図１に示すように、すれ違いビーム用光源４と、走行ビーム用光源５とが別個に設けられ、超音波振動子３が、走行ビーム用光源５の上側には配置されず、すれ違いビーム用光源４の上側にのみ配置されているが、第３の実施形態の車両用灯具では、代わりに、すれ違いビーム用配光パターンを形成するための光源および走行ビーム用配光パターンを形成するための光源として共通の光源を用い、その光源の上側に超音波振動子を配置することも可能である。
【００４５】
以下、本発明の車両用灯具の第４の実施形態について説明する。第４の実施形態の車両用灯具は、後述する点を除き、上述した第１の実施形態の車両用灯具とほぼ同様に構成されている。従って、第４の実施形態の車両用灯具によれば、後述する点を除き、上述した第１の実施形態の車両用灯具とほぼ同様の効果を奏することができる。
【００４６】
図６は第４の実施形態の車両用灯具の断面図である。図６において、６はカバーレンズ１の外側表面上の積雪を感知するためのセンサである。
【００４７】
第１の実施形態の車両用灯具では、車両の運転席に配置された超音波振動子駆動スイッチ（図示せず）が運転者によってＯＮされると、超音波振動子３が駆動されるが、第４の実施形態の車両用灯具では、代わりに、センサ６によってカバーレンズ１の外側表面上の積雪が感知されると、超音波振動子３が駆動される。そのため、第４の実施形態の車両用灯具によれば、カバーレンズ１の外側表面上の雪によってすれ違いビーム用光源４からの照射光が遮られていると車両の運転者が感じる前に、カバーレンズ１の外側表面上の雪を除去することができる。つまり、第４の実施形態の車両用灯具によれば、カバーレンズ１の外側表面上の雪によってすれ違いビーム用光源４からの照射光が遮られてしまう状況を回避することができる。
【００４８】
更に、第１の実施形態の車両用灯具では、超音波振動子駆動スイッチがＯＮされてから所定時間が経過すると、超音波振動子３への駆動信号の供給が停止されるが、第４の実施形態の車両用灯具では、代わりに、超音波振動子１によってカバーレンズ１の外側表面上の雪が除去され、カバーレンズ１の外側表面上の雪がセンサ６に感知されなくなると、超音波振動子３への駆動信号の供給が停止される。
【００４９】
第５の実施形態では、上述した第１から第４の実施形態を適宜組み合わせることも可能である。
【実施例】
【００５０】
本発明者等は、カバーレンズ１に対して超音波振動子３Ａ，３Ｂ，３Ｃを装着する位置について比較検討を行った。図７は比較検討に用いられた車両用灯具の正面図、図８は図７のＸ’−Ｘ’断面図である。比較例１、比較例２および実施例では、超音波振動子３Ａ，３Ｂ，３Ｃとして、長さ１７５ｍｍ、幅２５ｍｍ、厚さ２．５５ｍｍのものを用い、超音波振動子３Ａ，３Ｂ，３Ｃの厚さ方向の共振周波数を８００ｋＨｚに設定した。
【００５１】
図７および図８に示すように、比較例１では、カバーレンズ１の外縁部１ａ上であって、すれ違いビーム用光源４より高い位置に超音波振動子３Ａを配置した。また、比較例１では、超音波振動子３Ａからカバーレンズ１への振動伝播方向（図８中の矢印の方向）がカバーレンズ１の厚さ方向に対してほぼ垂直になるように、超音波振動子３Ａをカバーレンズ１に接合した。その結果、比較例１では、超音波振動子３Ａによってカバーレンズ１の外側表面上の雪を殆ど滑り落とすことができなかった。
【００５２】
また、図７および図８に示すように、比較例２では、カバーレンズ１の外縁部１ａから少し離れた位置であって、すれ違いビーム用光源４より低い位置に超音波振動子３Ｂを配置した。更に、比較例２では、超音波振動子３Ｂからカバーレンズ１への振動伝播方向（図８中の矢印の方向）がカバーレンズ１の厚さ方向にほぼ一致するように、超音波振動子３Ｂをカバーレンズ１に接合した。その結果、比較例２では、超音波振動子３Ｂによってカバーレンズ１の外側表面上の雪を少し滑り落とすことができた。
【００５３】
更に、図７および図８に示すように、実施例では、カバーレンズ１の外縁部１ａから少し離れた位置であって、すれ違いビーム用光源４より高い位置（第１の実施形態の車両用灯具の超音波振動子３が配置されている位置と同じ位置）に超音波振動子３Ｃを配置した。更に、実施例では、超音波振動子３Ｃからカバーレンズ１への振動伝播方向（図８中の矢印の方向）がカバーレンズ１の厚さ方向にほぼ一致するように、超音波振動子３Ｃをカバーレンズ１に接合した。その結果、実施例では、超音波振動子３Ｃによってカバーレンズ１の外側表面上の雪を十分に滑り落とすことができた。
【００５４】
本発明者等の比較検討では、長さ５０〜２００ｍｍ、幅２５〜５０ｍｍ、厚さ２〜５ｍｍの超音波振動子を図７および図８中の超音波振動子３Ｃの位置に配置した場合にも、その超音波振動子によってカバーレンズ１の外側表面上の雪を十分に滑り落とすことができた。
【００５５】
詳細には、本発明者等の比較検討では、すれ違いビーム用リフレクタ４’の直径の約２分の１より長い長さ（図７の左右方向寸法）を有する超音波振動子３Ｃを図７および図８に示す位置に配置することにより、カバーレンズ１のうち、すれ違いビーム用リフレクタ４’の前方に位置する部分の外側表面上の雪を十分に滑り落とすことができた。つまり、すれ違いビーム用リフレクタ４’の直径の約２分の１より長い長さを有する超音波振動子３Ｃを図７および図８に示す位置に配置することにより、すれ違いビーム用配光を確保することができた。
【図面の簡単な説明】
【００５６】
【図１】第１の実施形態の車両用灯具の正面図である。
【図２】図１のＸ−Ｘ断面図である。
【図３】すれ違いビーム用光源４からの照射光の光路を示した図である。
【図４】カバーレンズ１および超音波振動子３の拡大分解図である。
【図５】超音波振動子３が発生した振動の伝播方向とカバーレンズ１の厚さ方向との関係を示した図である。
【図６】第４の実施形態の車両用灯具の断面図である。
【図７】比較検討に用いられた車両用灯具の正面図である。
【図８】図７のＸ’−Ｘ’断面図である。
【符号の説明】
【００５７】
１              カバーレンズ
１ａ            外縁部
１ｂ            接合面
２              滑雪用コーティング
３              超音波振動子
３ａ            接合面
４              すれ違いビーム用光源
４’            すれ違いビーム用リフレクタ
５              走行ビーム用光源
５’            走行ビーム用リフレクタ
６              センサ
【図１】
2008108500.tif 000003
【図２】
2008108500.tif 000004
【図３】
2008108500.tif 000005
【図４】
2008108500.tif 000006
【図５】
2008108500.tif 000007
【図６】
2008108500.tif 000008
【図７】
2008108500.tif 000009
【図８】
2008108500.tif 000010